(57)【要約】【課題】  複層の生地間に空気層を形成することにより保温性や手触りの柔らかさの向上を期すことができて高級感に溢れ、しかも織り方の自由度が高くて用途範囲を広げることのできる織物を提供する。【解決手段】  ベース経糸２とベース緯糸３よりなるベース生地１における所定間隔をおいたベース緯糸３に絡合し、前記ベース経糸２と走行方向は同じくするが前記ベース緯糸３との絡合部分間にループ７が形成されるカバー経糸５を備え、このカバー経糸５は前記ループ７間にカバー緯糸６が織り込まれていて立体構造のカバー生地４を構成し、このカバー生地４によって前記ベース生地との間にチューブ状の空気層８を形成してなる構成のものとした。【選択図】  図２
2007070788.tif 000002
【特許請求の範囲】
【請求項１】
ベース経糸とベース緯糸よりなるベース生地における所定間隔をおいたベース緯糸に絡合し、前記ベース経糸と走行方向は同じくするが前記ベース緯糸との絡合部分間にループが形成されるカバー経糸を備え、このカバー経糸は前記ループ間にカバー緯糸が織り込まれていて立体構造のカバー生地を構成し、このカバー生地によって前記ベース生地との間にチューブ状の空気層を形成してなる織物。
【請求項２】
前記カバー生地を、ベース生地の表裏の面のうち、一方の面側に形成してなる請求項１に記載の織物。
【請求項３】
前記カバー生地を、ベース生地の表裏の面の両方の面側に形成してなる請求項１に記載の織物。
【請求項４】
ベース経糸とベース緯糸よりなるベース生地における所定間隔をおいた隣接するベース緯糸間を貫通してベース生地の表裏に交互に現れ、前記ベース経糸と走行方向を同じくして生地の表裏にループを形成するカバー経糸を備え、このカバー経糸は前記ループ間にカバー緯糸が織り込まれていて立体構造のカバー生地を構成し、このカバー生地によって前記ベース生地との間にチューブ状の空気層を形成してなる織物。
【請求項５】
前記カバー経糸は表裏一対のペアで構成され、一方のカバー経糸がベース生地の表側に現れている間は他方のカバー経糸がベース生地の裏側に現れ、ベース生地の表裏両面に連続した空気層を形成してなる請求項４に記載の織物。
【請求項６】
前記ベース経糸を伸縮性を有する素材のもので構成してなる請求項１乃至５に記載の織物。
【発明の詳細な説明】
【技術分野】
【０００１】
本発明は複層の生地よりなる織物に関し、より詳しくは生地間の空気層を十分に確保できる織物に関する。
【背景技術】
【０００２】
保温性や手触りの柔らかさを向上させることを目的として、パイルを長く、太くしたタオル生地や、複数枚の生地を重ね合わせて生地どうしの間に空気層を形成した複層の織物が従来からあり（例えば、特許文献１参照）、例えばタオルケットやガーゼケットのような掛け布などに用いられている。
【０００３】
しかしながら、タオル生地では多数のパイルによって空気層を形成する構成となっているので、パイルの密度やパイル糸の太さにより生地の高級感や保温性の向上は達成できるが、生地そのものはタオル生地でしかなく、生地そのものの織り方の違いによる多様性を表現することはできない。
【０００４】
また従来の複層の織物では、生地間に長いパイルを高密度に設ければ生地どうしの間に空間を形成することができるが、パイル用に使用する糸の量が大でコストが嵩み、しかも内側にパイルを形成するためには表面の織り目の構成に自ずと制約を受け、織り目の構成によるデザインの自由度が決して高いとは言えない。
【特許文献１】特開２００２−１０５７９７号公報（第１〜６頁、図１〜１３参照）
【発明の開示】
【発明が解決しようとする課題】
【０００５】
本発明は、複層の生地間に空気層を形成することにより保温性や手触りの柔らかさの向上を期すことができて高級感に溢れ、しかも織り方の自由度が高くて用途範囲を広げることのできる織物を提供することを目的としている。
【課題を解決するための手段】
【０００６】
上記課題を解決するために、本発明の請求項１に係る織物は、ベース経糸とベース緯糸よりなるベース生地における所定間隔をおいたベース緯糸に絡合し、前記ベース経糸と走行方向は同じくするが前記ベース緯糸との絡合部分間にループが形成されるカバー経糸を備え、このカバー経糸は前記ループ間にカバー緯糸が織り込まれていて立体構造のカバー生地を構成し、このカバー生地によって前記ベース生地との間にチューブ状の空気層を形成してなる構成のものとしてある。
【０００７】
本発明の請求項２に係る織物は、前記カバー生地を、ベース生地の表裏の面のうち、一方の面側に形成してなる構成のものとしてある。
【０００８】
本発明の請求項３に係る織物は、前記カバー生地を、ベース生地の表裏の面の両方の面側に形成してなる構成のものとしてある。
【０００９】
本発明の請求項４に係る織物は、ベース経糸とベース緯糸よりなるベース生地における所定間隔をおいた隣接するベース緯糸間を貫通してベース生地の表裏に交互に現れ、前記ベース経糸と走行方向を同じくして生地の表裏にループを形成するカバー経糸を備え、このカバー経糸は前記ループ間にカバー緯糸が織り込まれていて立体構造のカバー生地を構成し、このカバー生地によって前記ベース生地との間にチューブ状の空気層を形成した構成のものとしてある。
【００１０】
本発明の請求項５に係る織物は、前記カバー経糸は表裏一対のペアで構成され、一方のカバー経糸がベース生地の表側に現れている間は他方のカバー経糸がベース生地の裏側に現れ、ベース生地の表裏両面に連続した空気層を形成してなる構成のものとしてある。
【００１１】
本発明の請求項６に係る織物は、前記ベース経糸を、伸縮性を有する素材のもので構成してなる構成のものとしてある。
【発明の効果】
【００１２】
本発明によれば、波状の立体構造に形成されたカバー生地とベース生地との間にチューブ状の空気層が構成され、この空気層によって織物内に空気が保持され、保温性が高く、かつ手触りが柔らかで高級感に溢れる織物を実現することができる。
【００１３】
また、カバー生地が波状の立体に構成されるので、平面視において縞状の独特なデザインを呈し、しかもカバー生地は経糸と緯糸で構成されるという基本的な織り方以外には織りの粗密や使用する糸の太さ、種類など織り方についての制約が殆どなく、したがってデザインの自由度が高く、商品価値の高い織物を提供することができる。
【発明を実施するための最良の形態】
【００１４】
以下、本発明に係る織物の実施例を添付図面に示す具体例に基づいて詳細に説明する。
ベース生地１は、ベース経糸２とベース緯糸３とで構成され、隣り合うベース緯糸はベース経糸に対して互いに異なる方向から絡合するように構成されている。
【００１５】
また、カバー生地４も同様にカバー経糸５とカバー緯糸６とで構成され、隣り合うカバー緯糸はカバー経糸に対して互いに異なる方向から絡合するように構成されている。
【００１６】
しかして、上記カバー経糸５は前記ベース緯糸３に対しても絡合するように構成されており、より詳しくはカバー経糸５は複数本おきのベース緯糸３へ絡合し、これらベース緯糸と絡合する部分の間はベース生地１から離間してループ部７を構成し、これらループ部７におけるカバー経糸５にカバー緯糸６が折り合わされている。
【００１７】
したがって、平坦に織製されたベース生地１に対してカバー生地４が波状の立体構造を形成するように織り合わされ、ベース生地１とカバー生地４間にチューブ状の空気層８が形成される。
【００１８】
上述した構成の織物は、ベース生地１の一方の面（表面）にカバー生地４を設けてあるが、表裏両面にそれぞれカバー生地を設ける場合もある。
この場合、図３、４に示されるように表裏のカバー生地９、１０を個別の経糸、緯糸で構成する場合があり、この場合には図３のように表裏の各ループ部１１、１２の位置を表裏が対称となるように構成する場合もあるし、図４に示されるように位置をずらすように構成する場合もあるし、図示は省略したがベース生地に絡合させるピッチが異なるように構成する場合もある。
【００１９】
また図５に示されるように、表側のカバー生地１３と裏側のカバー生地１４のカバー経糸１５を共用し、カバー経糸が表裏に交互に現れるように構成する場合もあり、この場合は例えばカバー経糸が表裏のうち一方の側に現れている間は対となる他のカバー経糸が他方の側に現れ、表裏ともカバー生地で覆われるように構成する。
【００２０】
上述したいずれの実施例のものも、使用する糸の種類や太さは製作しようとする織物の用途に応じて広く選択することができるが、ベース生地１のベース経糸２を他の糸よりも伸縮性に富んだもので構成する場合もあり、かくすると、単に生地の経糸方向に伸縮性が得られるだけでなく、織物を経糸方向に伸ばすことによってカバー生地の経糸の撚れや捩れをある程度解消することができるというメリットも期すことができる。
【図面の簡単な説明】
【００２１】
【図１】本発明に係る織物の実施例を示す斜視図。
【図２】本発明に係る織物を縦糸の走行方向に沿って示す縦断面図。
【図３】本発明に係る織物の他の実施例を示す縦断面図。
【図４】本発明に係る織物のさらに他の実施例を示す縦断面図。
【図５】本発明に係る織物のさらに他の実施例を示す縦断面図。
【符号の説明】
【００２２】
１  ベース生地
２  ベース経糸
３  ベース緯糸
４  カバー生地
５  カバー経糸
６  カバー緯糸
７  ループ部
８  空気層
９、１０  カバー生地
１１、１２  ループ
１３、１４  カバー生地
１５  カバー経糸
【図１】
2007070788.tif 000003
【図２】
2007070788.tif 000004
【図３】
2007070788.tif 000005
【図４】
2007070788.tif 000006
【図５】
2007070788.tif 000007